(57)【要約】【課題】軸心方向に押圧しながら締め付けも容易に行うす。【解決手段】雄ねじ２ａが形成された軸部２の一端に頭部３が設けられ、頭部３に周方向に間隔をおいて３個の係止部３１が形成された盗難防止ねじ１において、頭部３が頂点に向かって曲率半径が漸減する半球状に形成され、また、各係止部３１は、側方より見て第１面としての弓形状の垂直面３１ｖおよび上方より見て第２面としての弓形状の水平面３１ｈによって形成されるとともに、上方より見て各係止部３１の垂直面３１ｖが正三角形の各辺の一部に対応して形成されている。そして、係止部３１の一方の端部に突起部３２が設けられている。このため、突起部３２を回避する凹部を有する治具のみが係止部３１に嵌合可能となる。【選択図】図１
2012132553.tif 000002
【特許請求の範囲】
【請求項１】
雄ねじまたは雌ねじを有し、該雄ねじまたは雌ねじを回転させる複数個の係止部が形成された回転操作部を備えた盗難防止ねじにおいて、
前記回転操作部が、該回転操作部底面から頂面に向かって直径が漸減する凸条部を有し、
前記係止部は、回転操作部の周面に形成された第１面と、該第１面に対して交差する方向に設けられた第２面とを備えた切欠部からなり、
上方より見て一の係止部の第１面に対して、他の係止部の第１面は互いに平行にならないように形成されていることを特徴とする盗難防止ねじ。
【請求項２】
雄ねじまたは雌ねじを有し、該雄ねじまたは雌ねじを回転させる１個の係止部が形成された回転操作部を備えた盗難防止ねじにおいて、
前記回転操作部が、該回転操作部底面から頂面に向かって直径が漸減する凸条部を有し、しかも、上方より見て前記頭部形状が円形に形成され、
前記係止部は、回転操作部の周面に形成された第１面と、該第１面に対して交差する方向に設けられた第２面とを備えた切欠部からなることを特徴とする盗難防止ねじ。
【請求項３】
前記請求項１または２記載の盗難防止ねじにおいて、前記第１面と第２面との間の角度が、４５°〜１６０°に設定されていることを特徴とする盗難防止ねじ。
【請求項４】
雄ねじまたは雌ねじを有し、該雄ねじまたは雌ねじを回転させる複数個の係止部が形成された回転操作部を備えた盗難防止ねじにおいて、
前記回転操作部が、該回転操作部底面から頂面に向かって直径が漸減する凸条部を有し、
前記係止部は、回転操作部の周面に形成され且つ前記回転操作部底面から頂面に向かって互いに接近する傾斜面からなり、
上方より見て一の前記係止部の面に対して、他の前記係止部の面は互いに平行にならないように形成されていることを特徴とする盗難防止ねじ。
【請求項５】
雄ねじが形成された軸部の一端に頭部が設けられ、該頭部に周方向に間隔をおいて３個以上の奇数個の係止部が形成された盗難防止ねじにおいて、前記頭部が頂点または頂面に向かって曲率半径が漸減する半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形の各辺またはその一部もしくは少なくとも任意の一辺と該一辺に対向する二辺との三辺またはそれらの一部に対応して形成され、さらに、少なくとも１個の係止部に、該係止部の水平面に幅方向全面にわたる平面の着座を阻止する突起部が設けられることを特徴とする盗難防止ねじ。
【請求項６】
雄ねじが形成された軸部の一端に頭部が設けられ、頭部に周方向に間隔をおいて３個以上の奇数個の係止部が形成された盗難防止ねじにおいて、前記頭部が頂点または頂面に向かって曲率半径が漸減する半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形に近似し、かつ、対向する二辺が不平行である多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とする盗難防止ねじ。
【請求項７】
請求項５または６に記載の盗難防止ねじにおいて、側方より見て複数個の係止部のうちの１個の係止部の水平面の頭部底面からの高さが他の２個以上の係止部の水平面の頭部底面からの高さよりも高いまたは低いことを特徴とする盗難防止ねじ。
【請求項８】
請求項５または６に記載の盗難防止ねじにおいて、側方より見て複数個の係止部の水平面の頭部底面からの高さが全て異なることを特徴とする盗難防止ねじ。
【請求項９】
雄ねじが形成された軸部の一端に頭部が設けられ、頭部に周方向に間隔をおいて３個の係止部が形成された盗難防止ねじにおいて、前記頭部が頂点または頂面に向かって曲率半径が漸減する半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が正三角形の各辺またはその一部に対応して形成され、さらに、少なくとも１個の係止部の一方の端部に、該係止部の水平面に幅方向全面にわたる平面の着座を阻止する突起部が設けられることを特徴とする盗難防止ねじ。
【請求項１０】
請求項９に記載の盗難防止ねじにおいて、側方より見て３個の係止部の水平面の頭部底面からの高さが同一であり、かつ、複数個の係止部の水平面の奥行きが等しいことを特徴とする盗難防止ねじ。
【請求項１１】
中心部に上下に貫通する雌ねじが形成され、外周面に周方向に間隔をおいて３個以上の奇数個の係止部が形成された盗難防止ナットにおいて、前記外周面が頂面に向かって曲率半径が漸減する半球状、円錐台状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とする盗難防止ナット。
【請求項１２】
中心部に上下に貫通する雌ねじが形成され、外周面に周方向に間隔をおいて３個以上の奇数個の係止部が形成された盗難防止ナットにおいて、前記外周面が頂面に向かって曲率半径が漸減する半球状、円錐台状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形に近似し、かつ、対向する二辺が不平行である多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とする盗難防止ナット。
【請求項１３】
請求項１１または１２に記載の盗難防止ナットにおいて、側方より見て複数個の係止部のうちの１個の係止部の水平面の底面からの高さが他の２個以上の係止部の水平面の底面からの高さよりも高いまたは低いことを特徴とする盗難防止ナット。
【請求項１４】
請求項１１または１２に記載の盗難防止ナットにおいて、側方より見て複数個の係止部の水平面の底面からの高さが全て異なることを特徴とする盗難防止ナット。
【請求項１５】
中央部に上下に貫通する雌ねじが形成され、外周面に周方向に間隔をおいて３個の係止部が形成された盗難防止ナットにおいて、前記外周面が頂面に向かって曲率半径が漸減する半球状、円錐台状に形成され、また、各係止部は、側方より見て第１面としての弓形状の垂直面および上方より見て第２面としての弓形状の水平面によって形成されるとともに、上方より見て各係止部の垂直面が正三角形の各辺またはその一部に対応して形成され、さらに、少なくとも１個の係止部の一方の端部に、該係止部の水平面に幅方向全面にわたる平面の着座を阻止する突起部が設けられることを特徴とする盗難防止ナット。
【請求項１６】
請求項１５に記載の盗難防止ナットにおいて、側方より見て３個の係止部の水平面の底面からの高さが同一であり、かつ、複数個の係止部の水平面の奥行きが等しいことを特徴とする盗難防止ナット。
【請求項１７】
先端部に請求項１乃至４のいずれか一つに記載の盗難防止ねじにおける回転操作部の頂面側を収容するとともに、各係止部に面接触可能な嵌合部が形成されていることを特徴とする盗難防止ねじの専用締結治具。
【請求項１８】
先端部に請求項５乃至８のいずれか一つに記載の盗難防止ねじにおける頭部の頂面側を収容するとともに、突起部を回避して各係止部の垂直面および水平面にそれぞれ面接触可能な垂直面および水平面を有する奇数個の嵌合部が形成され、また、基端部に少なくとも一対の平行面からなる連結部が形成されることを特徴とする盗難防止ねじの専用締結治具。
【請求項１９】
先端部に請求項１１乃至１４のいずれか一つに記載の盗難防止ナットの頂面側を収容するとともに、突起部を回避して各係止部の垂直面および水平面にそれぞれ面接触可能な垂直面および水平面を有する奇数個の嵌合部が形成され、また、基端部に少なくとも一対の平行面からなる連結部が形成されることを特徴とする盗難防止ナットの専用締結治具。
【請求項２０】
先端部に請求項９または１０に記載の盗難防止ねじにおける頭部の頂面側を収容するとともに、突起部を回避して各係止部の垂直面および水平面にそれぞれ面接触可能な垂直面および水平面を有する３個の嵌合部が形成され、また、基端部に少なくとも一対の平行面からなる連結部が形成されることを特徴とする盗難防止ねじの専用締結治具。
【請求項２１】
先端部に請求項１５または１６に記載の盗難防止ナットの頂面側を収容するとともに、突起部を回避して各係止部の垂直面および水平面にそれぞれ面接触可能な垂直面および水平面を有する３個の嵌合部が形成され、また、基端部に少なくとも一対の平行面からなる連結部が形成されることを特徴とする盗難防止ナットの専用締結治具。
【請求項２２】
請求項１乃至４のいずれか一つに記載の盗難防止ねじと、請求項１７に記載の盗難防止ねじの専用締結治具が同梱されたことを特徴とする盗難防止ねじセット。
【請求項２３】
請求項５乃至８のいずれか一つに記載の盗難防止ねじと、請求項１８に記載の盗難防止ねじの専用締結治具が同梱されたことを特徴とする盗難防止ねじセット。
【請求項２４】
請求項１１乃至１４のいずれか一つに記載の盗難防止ナットと、請求項１９に記載の盗難防止ナットの専用締結治具が同梱されたことを特徴とする盗難防止ナットセット。
【請求項２５】
請求項９また１０に記載の盗難防止ねじと、請求項２０に記載の盗難防止ねじの専用締結治具が同梱されたことを特徴とする盗難防止ねじセット。
【請求項２６】
請求項１５または１６に記載の盗難防止ナットと、請求項２１に記載の盗難防止ナットの専用締結治具が同梱されたことを特徴とする盗難防止ナットセット。
【発明の詳細な説明】
【技術分野】
【０００１】
この発明は、カーナビゲーション、ナンバープレート、カーコンポーネントなどの自動車用部品、窓などの開口部に設置される面格子、自動販売機や公衆便所の便座などの屋内外に設置される各種設置物などの盗難や悪戯を防止する盗難防止ねじ、盗難防止ナットおよびその専用締結治具ならびに盗難防止ねじセット、盗難防止ナットセットに関するものである。
【背景技術】
【０００２】
近年、カーナビゲーション、ナンバープレート、カーコンポーネントなどの自動車用部品、面格子、自動販売機などの屋内外に設置される各種設置物などの盗難や悪戯が多発している。
【０００３】
このような盗難などを防止するため、例えば、自動車部品や各種設置物などを取り付けているボルトやビスなどのねじやナットの頭部を、特定の専用工具を用いなければ取り外しできない盗難防止ねじやナットが開発されており、既に市販されている。
【０００４】
例えば、特許文献１に示されるように、ねじなどの頭部の外周面やナットの外周面を、半球面や円錐台面などに形成して、レンチやスパナなどの一般工具では掴めない形状に形成するとともに、それらの外周面に内側へ凹んだ適数個の凹部を形成するものである。そして、凹部に嵌合可能な専用工具によって当該凹部を周方向に押圧して回転させることにより、盗難防止ねじ、ナットの締め付け、取り外しを行うものである。
【０００５】
また、非特許文献１に示されるように、頭部の頂面（側面を除く面）の中央に、＋、−、六角穴などの一般工具には嵌合しない特殊な形状の嵌合凹部を形成することも提案されている。そして、特殊な形状の嵌合凹部に嵌合可能な先端部を備えた専用工具によって頭部を押圧しながら頭部を周方向に回転させることにより、盗難防止ねじの締め付け、取り外しを行うものである。
【先行技術文献】
【特許文献】
【０００６】
【特許文献１】特開２０００−４６０２７号公報
【非特許文献】
【０００７】
【非特許文献１】ＹＡＨＯＯ  ＪＡＰＡＮ（2009.6.26 ）検索、株式会社ツルガの「カーナビ盗難防止ネジ」のホームページ（http://www.tsurugacorp.co.jp/isp.html ）
【発明の概要】
【発明が解決しようとする課題】
【０００８】
しかしながら、何れのタイプの盗難防止ねじであっても、商品が市場に供給されると、供給量に比例して対応する専用工具も増大することから、当該盗難防止ねじによって被締結物が締結されたとしても、他人の専用工具によって盗難防止ねじの締結が解除される機会も大きくなることが避けられない。
【０００９】
本発明は、このような問題点に鑑みてなされたもので、対応する専用締結治具以外の他人の専用締結治具によって締結が解除されることの可能性を可及的に小さくすることのできる盗難防止ねじ、盗難防止ナットおよびその専用締結治具ならびに盗難防止ねじセット、盗難防止ナットセットを提供するものである。
【課題を解決するための手段】
【００１０】
本発明の盗難防止ねじは、雄ねじまたは雌ねじを有し、該雄ねじまたは雌ねじを回転させる複数個の係止部が形成された回転操作部を備えた盗難防止ねじにおいて、前記回転操作部が、該回転操作部底面から頂面に向かって直径が漸減する凸条部を有し、前記係止部は、回転操作部の周面に形成された第１面と、該第１面に対して交差する方向に設けられた第２面とを備えた切欠部からなり、上方より見て一の係止部の第１面に対して、他の係止部の第１面は互いに平行にならないように形成されていることことを特徴とするものである。
【００１１】
本発明によれば、盗難防止ねじをレンチなどの一般工具を用いて回転操作しようとしても、係止部の第１面同士に平行面は存在せず、一般工具を利用して盗難防止ねじを回転操作することはできないものとなる。しかも、前記回転操作部を一般工具によって挟み込むことは極めて困難であることから、一般工具を利用して盗難防止ねじの回転操作部を把持して回転操作することもできないものとなる。
【００１２】
なお、前記係止部の第１面とは、専用締結治具が係止して、盗難防止ねじに回転トルクを伝えることが可能な面をいう。
【００１３】
本発明の盗難防止ねじは、雄ねじまたは雌ねじを有し、該雄ねじまたは雌ねじを回転させる１個の係止部が形成された回転操作部を備えた盗難防止ねじにおいて、前記回転操作部が、該回転操作部底面から頂面に向かって直径が漸減する凸条部を有し、しかも、上方より見て前記頭部形状が円形に形成され、前記係止部は、回転操作部の周面に形成された第１面と、該第１面に対して交差する方向に設けられた第２面とを備えた切欠部からなることことを特徴とするものである。
【００１４】
前記本発明の盗難防止ねじは、前記第１面と第２面との間の角度が、４５°〜１６０°に設定されているのが好ましい。
【００１５】
本発明の盗難防止ねじは、雄ねじまたは雌ねじを有し、該雄ねじまたは雌ねじを回転させる複数個の係止部が形成された回転操作部を備えた盗難防止ねじにおいて、前記回転操作部が、該回転操作部底面から頂面に向かって直径が漸減する凸条部を有し、前記係止部は、回転操作部の周面に形成され且つ前記回転操作部底面から頂面に向かって互いに接近する傾斜面からなり、上方より見て一の前記係止部の面に対して、他の前記係止部の面は互いに平行にならないように形成されていることを特徴とするものである。
【００１６】
本発明によれば、盗難防止ねじをレンチなどの一般工具を用いて回転操作しようとしても、係止部の面同士に平行面は存在せず、一般工具を利用して盗難防止ねじを回転操作することはできないものとなる。しかも、前記係止部は、回転操作部の周面に形成され且つ前記回転操作部底面から頂面に向かって互いに接近する傾斜面からなるため、前記回転操作部を一般工具によって挟み込むことは極めて困難であることから、一般工具を利用して盗難防止ねじの回転操作部を把持して回転操作することもできないものとなる。
【００１７】
本発明の盗難防止ねじは、雄ねじが形成された軸部の一端に頭部が設けられ、頭部に周方向に間隔をおいて３個以上の奇数個の係止部が形成された盗難防止ねじにおいて、前記頭部が頂点または頂面に向かって曲率半径が漸減する略半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とするものである。
【００１８】
本発明によれば、盗難防止ねじをレンチなどの一般工具を用いて回転操作しようとしても、３個以上の奇数個の頂点を有する正多角形の各辺またはその一部もしくは少なくとも任意の一辺と該一辺に対向する二辺との三辺またはそれらの一部に対応して形成された係止部の垂直面に平行面は存在せず、一般工具を利用して盗難防止ねじを回転操作することはできないものとなる。しかも、ほぼ半球状などの頭部を一般工具によって挟み込むことは極めて困難であることから、一般工具を利用して盗難防止ねじの頭部を把持して回転操作することもできないものとなる。
【００１９】
また、係止部に突起部が設けられることにより、当該盗難防止ねじに対応する専用締結治具以外の治具では、当該突起部によって係止部の水平面に面接触することができずに傾斜することから、盗難防止ねじにおける係止部の垂直面に回転トルクを有効に伝えることが困難となり、回転操作することはできない。
【００２０】
一方、当該盗難防止ねじに対応する専用締結治具においては、突起部を回避して係止部の水平面に面接触することができ、盗難防止ねじにおける係止部の垂直面に回転トルクを有効に伝えることが可能となり、簡単に回転操作することができる。
【００２１】
この結果、一般工具を利用して盗難防止ねじの締結を解除することはほとんど不可能となり、盗難防止ねじを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００２２】
本発明の盗難防止ねじは、雄ねじが形成された軸部の一端に頭部が設けられ、頭部に周方向に間隔をおいて３個以上の奇数個の係止部が形成された盗難防止ねじにおいて、前記頭部が頂点または頂面に向かって曲率半径が漸減する略半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形に近似し、かつ、対向する二辺が不平行である多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とするものである。
【００２３】
本発明によれば、盗難防止ねじをレンチなどの一般工具を用いて回転操作しようとしても、３個以上の奇数個の頂点を有する正多角形に近似するとともに、対向する二辺が不平行である多角形の各辺またはその一部もしくは少なくとも任意の一辺と該一辺に対向する二辺との三辺またはそれらの一部に対応して形成された係止部の垂直面に平行面は存在せず、一般工具を利用して盗難防止ねじを回転操作することはできないものとなる。しかも、ほぼ半球状などの頭部を一般工具によって挟み込むことは極めて困難であることから、一般工具を利用して盗難防止ねじの頭部を把持して回転操作することもできないものとなる。
【００２４】
また、係止部に突起部が設けられることにより、当該盗難防止ねじに対応する専用締結治具以外の治具では、当該突起部によって係止部の水平面に面接触することができずに傾斜することから、盗難防止ねじにおける係止部の垂直面に回転トルクを有効に伝えることが困難となり、回転操作することはできない。
【００２５】
一方、当該盗難防止ねじに対応する専用締結治具においては、突起部を回避して係止部の水平面に面接触することができ、盗難防止ねじにおける係止部の垂直面に回転トルクを有効に伝えることが可能となり、簡単に回転操作することができる。
【００２６】
この結果、一般工具を利用して盗難防止ねじの締結を解除することはほとんど不可能となり、盗難防止ねじを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００２７】
この場合、正多角形に近似する多角形とは、正多角形の各辺の少なくとも一辺をその長さ方向略中間部を中心として時計回り方向あるいは反時計回り方向に若干回転させることによって得られる多角形を挙げることができる。ただし、選択された任意の一辺を回転させた際に、対向する一辺と平行になると、一般工具の使用の可能性が高まることから、対向する一辺とは不平行の関係を維持する回転角度が要求される。
【００２８】
このように、正多角形に近似する多角形は、正多角形に比較して各辺の自由度が大きく、各辺またはその一部に対応して係止部の垂直面を形成する際の形成パターンを数多く設定することができることから、係止部の垂直面の形成パターンと突起部の形成パターンを組み合わせて多くのパターンを得ることが可能となり、他人の専用締結治具によって締結が解除されることの危険性をさらに小さくすることができる。
【００２９】
本発明において、側方より見て複数個の係止部のうちの１個の係止部の水平面の頭部底面からの高さが他の２個以上の係止部の水平面の頭部底面からの高さよりも高いまたは低いことが好ましい。これにより、係止部の水平面の形成パターンを変更することができ、突起部の形成パターンを組み合わせて、あるいは、係止部の垂直面の形成パターンおよび突起部の形成パターンを組み合わせて多くのパターンを得ることが可能となり、他人の専用締結治具によって締結が解除されることの危険性をより小さくすることができる。
【００３０】
本発明において、側方より見て複数個の係止部の水平面の頭部底面からの高さが全て異なることが好ましい。これにより、係止部の水平面の形成パターンを変更することができ、突起部の形成パターンを組み合わせて、あるいは、係止部の垂直面の形成パターンおよび突起部の形成パターンを組み合わせて多くのパターンを得ることが可能となり、他人の専用締結治具によって締結が解除されることの危険性をより小さくすることができる。
【００３１】
本発明の盗難防止ねじは、雄ねじが形成された軸部の一端に頭部が設けられ、頭部に周方向に間隔をおいて３個の係止部が形成された盗難防止ねじにおいて、前記頭部が頂点または頂面に向かって曲率半径が漸減する半球状、円錐台状、円錐状に形成され、また、各係止部は、側方より見て第１面としての弓形状の垂直面および上方より見て第２面としての弓形状の水平面によって形成されるとともに、上方より見て各係止部の垂直面が正三角形の各辺またはその一部に対応して形成され、さらに、少なくとも１個の係止部の一方の端部に、該係止部の水平面に幅方向全面にわたる平面の着座を阻止する突起部が設けられることを特徴とするものである。
【００３２】
本発明によれば、盗難防止ねじをレンチなどの一般工具を用いて回転操作しようとしても、正三角形の各辺またはその一部に対応して形成された係止部の垂直面に平行面は存在せず、一般工具を利用して盗難防止ねじを回転操作することはできないものとなる。しかも、ほぼ半球状などの頭部を一般工具によって挟み込むことは極めて困難であることから、一般工具を利用して盗難防止ねじの頭部を把持して回転操作することもできないものとなる。
【００３３】
また、係止部に突起部が設けられることにより、当該盗難防止ねじに対応する専用締結治具以外の治具では、当該突起部によって係止部の水平面に面接触することができずに傾斜することから、盗難防止ねじにおける係止部の垂直面に回転トルクを有効に伝えることが困難となり、回転操作することはできない。
【００３４】
一方、当該盗難防止ねじに対応する専用締結治具においては、突起部を回避して係止部の水平面に面接触することができ、盗難防止ねじにおける係止部の垂直面に回転トルクを有効に伝えることが可能となり、簡単に回転操作することができる。
【００３５】
この結果、一般工具を利用して盗難防止ねじの締結を解除することはほとんど不可能となり、盗難防止ねじを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００３６】
ここで、上方より見て係止部の垂直面を正三角形の各辺またはその一部に対応して形成するときには、加工本数が最低となるとともに、隣接する２個の係止部の垂直面のなす角が６０度となり、両面に回転トルクを付与する際に滑りが発生しにくく、回転トルクを有効に作用させることができる。
【００３７】
本発明において、側方より見て３個の係止部の水平面の頭部底面からの高さが同一であり、かつ、複数個の係止部の水平面の奥行きが等しいことが好ましい。これにより、上方より見て各係止部の垂直面に内接する内接円を描くとき、内接円の中心は軸部の軸心と一致し、また、各係止部の水平面の弧は、軸部の軸心を中心とする同一半径の円周上に位置している。したがって、係止部の位置は、軸部の軸心に対して対称となることから、軸心回りの回転のみによって係止部の加工位置が決定され、切削加工あるいは金型加工を容易に行うことができる。また、回転操作に際して曲げなどの力を発生させることもない。
【００３８】
本発明の盗難防止ナットは、中心部に上下に貫通する雌ねじが形成され、外周面に周方向に間隔をおいて３個以上の奇数個の係止部が形成された盗難防止ナットにおいて、前記外周面が頂面に向かって曲率半径が漸減する略半球状、円錐台状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とするものである。
【００３９】
本発明によれば、盗難防止ナットをレンチなどの一般工具を用いて回転操作しようとしても、３個以上の奇数個の頂点を有する正多角形の各辺またはその一部もしくは少なくとも任意の一辺と該一辺に対向する二辺との三辺またはそれらの一部に対応して形成された係止部の垂直面に平行面は存在せず、一般工具を利用して盗難防止ナットを回転操作することはできないものとなる。しかも、ほぼ半球状などの外周面を一般工具によって挟み込むことは極めて困難であることから、一般工具を利用して盗難防止ナットを把持して回転操作することもできないものとなる。
【００４０】
また、係止部に突起部が設けられることにより、当該盗難防止ナットに対応する専用締結治具以外の治具では、当該突起部によって係止部の水平面に面接触することができずに傾斜することから、盗難防止ナットにおける係止部の垂直面に回転トルクを有効に伝えることが困難となり、回転操作することはできない。
【００４１】
一方、当該盗難防止ナットに対応する専用締結治具においては、突起部を回避して係止部の水平面に面接触することができ、盗難防止ナットにおける係止部の垂直面に回転トルクを有効に伝えることが可能となり、簡単に回転操作することができる。
【００４２】
この結果、一般工具を利用して盗難防止ナットの締結を解除することはほとんど不可能となり、盗難防止ナットを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００４３】
本発明の盗難防止ナットは、中心部に上下に貫通する雌ねじが形成され、外周面に周方向に間隔をおいて３個以上の奇数個の係止部が形成された盗難防止ナットにおいて、前記外周面が頂面に向かって曲率半径が漸減する略半球状、円錐台状に形成され、また、各係止部は、側方より見て第１面としての弓形状の垂直面および上方より見て第２面としての弓形状の水平面によって形成されるとともに、上方より見て各係止部の垂直面が当該奇数個の頂点を有する正多角形に近似し、かつ、対向する二辺が不平行である多角形の各辺またはその一部もしくは少なくとも任意の一辺と該一辺に対向する二辺との三辺またはそれらの一部に対応して形成され、さらに、少なくとも１個の係止部の一方の端部に、該係止部の水平面に幅方向全面にわたる平面の着座を阻止する突起部が設けられることを特徴とするものである。
【００４４】
本発明によれば、盗難防止ナットをレンチなどの一般工具を用いて回転操作しようとしても、３個以上の奇数個の頂点を有する正多角形に近似するともに、対向する二辺が不平行である多角形の各辺またはその一部もしくは少なくとも任意の一辺と該一辺に対向する二辺との三辺またはそれらの一部に対応して形成された係止部の垂直面に平行面は存在せず、一般工具を利用して盗難防止ナットを回転操作することはできないものとなる。しかも、ほぼ半球状などの外周面を一般工具によって挟み込むことは極めて困難であることから、一般工具を利用して盗難防止ナットの頭部を把持して回転操作することもできないものとなる。
【００４５】
また、係止部に突起部が設けられることにより、当該盗難防止ナットに対応する専用締結治具以外の治具では、当該突起部によって係止部の水平面に面接触することができずに傾斜することから、盗難防止ねじにおける係止部の垂直面に回転トルクを有効に伝えることが困難となり、回転操作することはできない。
【００４６】
一方、当該盗難防止ナットに対応する専用締結治具においては、突起部を回避して係止部の水平面に面接触することができ、盗難防止ナットにおける係止部の垂直面に回転トルクを有効に伝えることが可能となり、簡単に回転操作することができる。
【００４７】
この結果、一般工具を利用して盗難防止ナットの締結を解除することはほとんど不可能となり、盗難防止ナットを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００４８】
この場合、正多角形に近似する多角形とは、正多角形の各辺の少なくとも一辺をその長さ方向略中間部を中心として時計回り方向あるいは反時計回り方向に若干回転させることによって得られる多角形を挙げることができる。ただし、選択された任意の一辺を回転させた際に、対向する一辺と平行になると、一般工具の使用の可能性が高まることから、対向する一辺とは不平行の関係を維持する回転角度が要求される。このように、正多角形に近似する多角形は、正多角形に比較して各辺の自由度が大きく、各辺またはその一部に対応して係止部の垂直面を形成する際の形成パターンを数多く設定することができることから、係止部の垂直面の形成パターンと突起部の形成パターンを組み合わせて多くのパターンを得ることが可能となり、他人の専用締結治具によって締結が解除されることの危険性をさらに小さくすることができる。
【００４９】
本発明において、側方より見て複数個の係止部のうちの１個の係止部の水平面の底面からの高さが他の２個以上の係止部の水平面の底面からの高さよりも高いまたは低いことが好ましい。これにより、係止部の水平面の形成パターンを変更することができ、突起部の形成パターンを組み合わせて、あるいは、係止部の垂直面の形成パターンおよび突起部の形成パターンを組み合わせて多くのパターンを得ることが可能となり、他人の専用締結治具によって締結が解除されることの危険性をより小さくすることができる。
【００５０】
本発明において、側方より見て複数個の係止部の水平面の底面からの高さが全て異なることが好ましい。これにより、係止部の水平面の形成パターンを変更することができ、突起部の形成パターンを組み合わせて、あるいは、係止部の垂直面の形成パターンおよび突起部の形成パターンを組み合わせて多くのパターンを得ることが可能となり、他人の専用締結治具によって締結が解除されることの危険性をより小さくすることができる。
【００５１】
本発明の盗難防止ナットは、中央部に上下に貫通する雌ねじが形成され、外周面に周方向に間隔をおいて３個の係止部が形成された盗難防止ナットにおいて、前記外周面が頂面に向かって曲率半径が漸減する略半球状、円錐台状に形成され、また、各係止部は、側方より見て第１面としての弓形状の垂直面および上方より見て第２面としての弓形状の水平面によって形成されるとともに、上方より見て各係止部の垂直面が正三角形の各辺またはその一部に対応して形成され、さらに、少なくとも１個の係止部の一方の端部に、該係止部の水平面に幅方向全面にわたる平面の着座を阻止する突起部が設けられることを特徴とするものである。
【００５２】
本発明によれば、盗難防止ナットをレンチなどの一般工具を用いて回転操作しようとしても、正三角形の各辺またはその一部に対応して形成された係止部の垂直面に平行面は存在せず、一般工具を利用して盗難防止ナットを回転操作することはできないものとなる。しかも、ほぼ半球状などの外周面を一般工具によって挟み込むことは極めて困難であることから、一般工具を利用して盗難防止ナットを把持して回転操作することもできないものとなる。
【００５３】
また、係止部に突起部が設けられることにより、当該盗難防止ナットに対応する専用締結治具以外の治具では、当該突起部によって係止部の水平面に面接触することができずに傾斜することから、盗難防止ナットにおける係止部の垂直面に回転トルクを有効に伝えることが困難となり、回転操作することはできない。
【００５４】
一方、当該盗難防止ナットに対応する専用締結治具においては、突起部を回避して係止部の水平面に面接触することができ、盗難防止ねじにおける係止部の垂直面に回転トルクを有効に伝えることが可能となり、簡単に回転操作することができる。
【００５５】
この結果、一般工具を利用して盗難防止ナットの締結を解除することはほとんど不可能となり、盗難防止ナットを利用して締結された被締結物の盗難や悪戯を防止することができる。また、係止部に対する突起部の形成パターンを変更することができることから、他人の専用締結治具が対応しない可能性を大きくして、他人の専用締結治具によって締結が解除されることの危険性を可及的に小さくすることができる。
【００５６】
ここで、上方より見て係止部の垂直面を正三角形の各辺またはその一部に対応して形成するときには、加工本数が最低となるとともに、隣接する２個の係止部の垂直面のなす角が６０度となり、両面に回転トルクを付与する際に滑りが発生しにくく、回転トルクを有効に作用させることができる。
【００５７】
本発明において、側方より見て３個の係止部の水平面の底面からの高さが同一であり、かつ、複数個の係止部の水平面の奥行きが等しいことが好ましい。これにより、上方より見て各係止部の垂直面に内接する内接円を描くとき、内接円の中心は雌ねじの中心と一致し、また、各係止部の水平面の弧は、雌ねじの中心を中心とする同一半径の円周上に位置している。したがって、係止部の位置は、雌ねじの中心に対して対称となることから、軸心回りの回転のみによって係止部の加工位置が決定され、切削加工あるいは金型加工を容易に行うことができる。また、回転操作に際して曲げなどの力を発生させることもない。
【００５８】
本発明の盗難防止ねじの専用締結治具は、先端部に請求項１乃至４のいずれか一つに記載の盗難防止ねじにおける回転操作部の頂面側を収容するとともに、各係止部に面接触可能な嵌合部が形成されていることを特徴とするものである。
【００５９】
本発明によれば、前記盗難防止ねじにおける係止部に、対応する各嵌合部を接触させることができるため、専用締結治具を回転させることにより、盗難防止ねじにおける係止部に回転トルクを有効に伝えることが可能となり、簡単に回転操作することができる。
【００６０】
本発明の盗難防止ねじの専用締結治具は、先端部に請求項５乃至８のいずれか一つに記載の盗難防止ねじにおける頭部の頂面側を収容するとともに、突起部を回避して各係止部の垂直面および水平面にそれぞれ面接触可能な垂直面および水平面を有する奇数個の嵌合部が形成され、また、基端部に少なくとも一対の平行面からなる連結部が形成されることを特徴とするものである。
【００６１】
本発明によれば、前記盗難防止ねじにおける奇数個の係止部の垂直面および水平面に、対応する各嵌合部の垂直面および水平面を係止部に設けた突起部を回避して面接触させることができる。したがって、連結部を介して専用締結治具を回転させるとき、盗難防止ねじにおける係止部の垂直面に回転トルクを有効に伝えることが可能となり、簡単に回転操作することができる。
【００６２】
この結果、対応する盗難防止ねじを簡単に締結し、その締結を解除することができる。
【００６３】
本発明の盗難防止ナットの専用締結治具は、先端部に請求項１１乃至１４のいずれか一つに記載の盗難防止ナットの頂面側を収容するとともに、突起部を回避して各係止部の垂直面および水平面にそれぞれ面接触可能な垂直面および水平面を有する奇数個の嵌合部が形成され、また、基端部に少なくとも一対の平行面からなる連結部が形成されることを特徴とするものである。
【００６４】
本発明によれば、前記盗難防止ナットにおける奇数個の係止部の垂直面および水平面に、対応する各嵌合部の垂直面および水平面を係止部に設けた突起部を回避して面接触させることができる。したがって、連結部を介して専用締結治具を回転させるとき、盗難防止ナットにおける係止部の垂直面に回転トルクを有効に伝えることが可能となり、簡単に回転操作することができる。
【００６５】
この結果、対応する盗難防止ナットを簡単に締結し、その締結を解除することができる。
【００６６】
本発明の盗難防止ねじの専用締結治具は、先端部に請求項９または１０に記載の盗難防止ねじにおける頭部の頂面側を収容するとともに、突起部を回避して各係止部の垂直面および水平面にそれぞれ面接触可能な垂直面および水平面を有する３個の嵌合部が形成され、また、基端部に少なくとも一対の平行面からなる連結部が形成されることを特徴とするものである。
【００６７】
本発明によれば、前記盗難防止ねじにおける３個の係止部の垂直面および水平面に、対応する各嵌合部の垂直面および水平面を係止部に設けた突起部を回避して面接触させることができる。したがって、連結部を介して専用締結治具を回転させるとき、盗難防止ねじにおける係止部の垂直面に回転トルクを有効に伝えることが可能となり、簡単に回転操作することができる。
【００６８】
この結果、対応する盗難防止ねじを簡単に締結し、その締結を解除することができる。
【００６９】
本発明の盗難防止ナットの専用締結治具は、先端部に請求項１５または１６に記載の盗難防止ナットの頂面側を収容するとともに、突起部を回避して各係止部の垂直面および水平面にそれぞれ面接触可能な垂直面および水平面を有する３個の嵌合部が形成され、また、基端部に少なくとも一対の平行面からなる連結部が形成されることを特徴とするものである。
【００７０】
本発明によれば、前記盗難防止ナットにおける３個の係止部の垂直面および水平面に、対応する各嵌合部の垂直面および水平面を係止部に設けた突起部を回避して面接触させることができる。したがって、連結部を介して専用締結治具を回転させるとき、盗難防止ナットにおける係止部の垂直面に回転トルクを有効に伝えることが可能となり、簡単に回転操作することができる。
【００７１】
この結果、対応する盗難防止ナットを簡単に締結し、その締結を解除することができる。
【００７２】
本発明の盗難防止ねじセットは、請求項１乃至４のいずれか一つに記載の盗難防止ねじと、請求項１７に記載の盗難防止ねじの専用締結治具が同梱されたことを特徴とするものである。
【００７３】
本発明の盗難防止ねじセットは、請求項５乃至８のいずれか一つに記載の盗難防止ねじと、請求項１８に記載の盗難防止ねじの専用締結治具が同梱されたことを特徴とするものである。
【００７４】
本発明によれば、盗難防止ねじと、該盗難防止ねじに対応する専用締結治具が同梱されていることにより、係止部および突起部の多数の形成パターンを有する盗難防止ねじに対応する専用締結治具を多数種類の中から探したり、逆に、嵌合部の多数の形成パターンを有する専用締結治具に対応する盗難防止ねじを多数種類の中から探す手間を省くことができるとともに、多数種類の盗難防止ねじおよび多数種類の専用締結治具を個別に在庫管理する場合に比較して在庫管理が容易となる。
【００７５】
本発明の盗難防止ナットセットは、請求項１１乃至１４のいずれか一つに記載の盗難防止ナットと、請求項１９に記載の盗難防止ナットの専用締結治具が同梱されたことを特徴とするものである。
【００７６】
本発明によれば、盗難防止ナットと、該盗難防止ナットに対応する専用締結治具が同梱されていることにより、係止部および突起部の多数の形成パターンを有する盗難防止ナットに対応する専用締結治具を多数種類の中から探したり、逆に、嵌合部の多数の形成パターンを有する専用締結治具に対応する盗難防止ナットを多数種類の中から探す手間を省くことができるとともに、多数種類の盗難防止ナットおよび多数種類の専用締結治具を個別に在庫管理する場合に比較して在庫管理が容易となる。
【００７７】
本発明の盗難防止ねじセットは、請求項９または１０に記載の盗難防止ねじと、請求項２０に記載の盗難防止ねじの専用締結治具が同梱されたことを特徴とするものである。
【００７８】
本発明によれば、盗難防止ねじと、該盗難防止ねじに対応する専用締結治具が同梱されていることにより、係止部および突起部の多数の形成パターンを有する盗難防止ねじに対応する専用締結治具を多数種類の中から探したり、逆に、嵌合部の多数の形成パターンを有する専用締結治具に対応する盗難防止ねじを多数種類の中から探す手間を省くことができるとともに、多数種類の盗難防止ねじおよび多数種類の専用締結治具を個別に在庫管理する場合に比較して在庫管理が容易となる。
【００７９】
本発明の盗難防止ナットセットは、請求項１５または１６に記載の盗難防止ナットと、請求項２１に記載の盗難防止ナットの専用締結治具が同梱されたことを特徴とするものである。
【００８０】
本発明によれば、盗難防止ナットと、該盗難防止ナットに対応する専用締結治具が同梱されていることにより、係止部および突起部の多数の形成パターンを有する盗難防止ナットに対応する専用締結治具を多数種類の中から探したり、逆に、嵌合部の多数の形成パターンを有する専用締結治具に対応する盗難防止ナットを多数種類の中から探す手間を省くことができるとともに、多数種類の盗難防止ねじおよび多数種類の専用締結治具を個別に在庫管理する場合に比較して在庫管理が容易となる。
【発明の効果】
【００８１】
本発明の盗難防止ねじ、盗難防止ナットによれば、対応する専用締結治具以外の他人の専用締結治具によって締結が解除されることの可能性を可及的に小さくすることができる。
【００８２】
本発明の盗難防止ねじの専用締結治具、盗難防止ナットの専用締結治具によれば、対応する盗難防止ねじ、盗難防止ナットをレンチなどを利用して簡単に締結し、締結を解除することができる。
【図面の簡単な説明】
【００８３】
【図１】本発明の盗難防止ねじの一実施形態を示し、（ａ）は斜視図、（ｂ）は平面部、（ｃ）は（ｂ）のＡ−Ａ線断面図である。
【図２】図１の盗難防止ねじの専用締結治具を示し、（ａ）は斜視図、（ｂ）は平面図、（ｃ）は（ｂ）のＢ−Ｂ線断面図である。
【図３】（ａ）〜（ｃ）は、図１の盗難防止ねじを図２の専用締結治具を用いて締結する工程を説明する工程図である。
【図４】図１の盗難防止ねじおよび図２の専用締結治具を用いてカーナビゲーションを固定する要領を示す説明図である。
【図５】図１の盗難防止ねじを用いてナンバープレートを締結した概略図である。
【図６】図１の盗難防止ねじを用いて面格子を締結した概略図である。
【図７】本発明の盗難防止ナットの一実施形態を示し、（ａ）は斜視図、（ｂ）は平面図、（ｃ）は（ｂ）のＣ−Ｃ線断面図である。
【図８】（ａ）〜（ｊ）は突起部の形成パターンを例示する平面図である。
【図９】盗難防止ねじにおける係止部の変形例を示し、（ａ）は斜視図、（ｂ）は平面図である。
【図１０】盗難防止ねじの係止部の他の変形例を示し、（ａ）は斜視図、（ｂ）は平面図である。
【図１１】盗難防止ねじの係止部のもう一つの変形例を示し、（ａ）は斜視図、（ｂ）は平面図である。
【図１２】盗難防止ねじの係止部の他のもう一つの変形例を示し、（ａ）は斜視図、（ｂ）は平面図である。
【図１３】盗難防止ねじの係止部の別の変形例を示し、（ａ）は斜視図、（ｂ）は平面図である。
【図１４】本発明の盗難防止ねじの他の実施形態を示し、（ａ）は斜視図、（ｂ）は平面図である。
【図１５】図１４の盗難防止ねじの変形例を示し、（ａ）は斜視図、（ｂ）は平面図である。
【図１６】（ａ）および（ｂ）は、本発明の盗難防止ねじの他の実施形態をそれぞれ示す平面図である。
【図１７】本発明の盗難防止ねじの他の実施形態を示し、（ａ）は断面図、（ｂ）は斜視図である。
【図１８】（ａ）〜（ｃ）は、本発明の盗難防止ねじの要部をそれぞれ示す断面図である。
【図１９】本発明の盗難防止ねじの他の実施形態を示し、（ａ）は平面図、（ｂ）は斜視図、（ｃ）は概略図である。
【図２０】本発明の盗難防止ねじの他の実施形態を示し、（ａ）は（ｂ）のＤ−Ｄ線断面図、（ｂ）は平面図である。
【図２１】本発明の盗難防止ナットの他の実施形態を示し、（ａ）は平面図、（ｂ）は斜視図、（ｃ）は平面図、（ｄ）は斜視図である。
【発明を実施するための形態】
【００８４】
以下、本発明の実施の形態を図面に基づいて説明する。
【００８５】
図１には、本発明の盗難防止ねじとして盗難防止ボルト（盗難防止雄ねじ）の一実施形態が示されている。
【００８６】
この盗難防止ねじ１は、外周面に雄ねじ２ａが形成された軸部２と、軸部２の一端に一体に形成された回転操作部としての頭部３とから構成されており、頭部３の外周面には、後述する専用締結治具１０によってのみ回転操作することができるように、周方向に間隔をおいて３個以上の奇数個（実施形態においては３個）の係止部３１が形成されている。
【００８７】
ここで、頭部３は、レンチ、スパナ、ペンチ、プライヤーなどの一般工具では掴み難い形状である半球状に形成されているが、円錐台形状や円錐形状であっても構わない。
【００８８】
そして、頭部３に形成された３個の係止部３１は、それぞれ側方より見て、第１面としての弓形状の垂直面３１ｖと、上方より見て、第２面としての弓形状の水平面３１ｈによって形成された切欠部から構成きている。上方より見て各係止部３１の垂直面３１ｖは、正三角形の各辺の一部に対応して形成されている。また、水平面３１ｈは、頭部３の底面から同一高さ位置に形成されている。換言すれば、上方より見て各係止部３１の垂直面３１ｖに内接する内接円を描くとき、内接円の中心は軸部２の軸心と一致し、また、各係止部３１の水平面３１ｈの弧は、軸部２の軸心を中心とする同一半径の円周上に位置している。
【００８９】
ここで、上方より見てとは、図１（ｂ）に示すように、頭部３を上にした状態の盗難防止ねじ１の平面視をいう。側方より見てとは、図１（ｃ）に相当する頭部３を上にした状態の側面視をいう。また、垂直面３１ｖとは、雄ねじ２ａの軸心に沿う方向の面をいう。また、水平面３１ｈとは、前記軸心に直交する方向の面をいう。垂直面３１ｖと水平面３１ｈとは、交差する方向に形成され、本実施形態は、垂直面３１ｖと水平面３１ｈとの間の角度αは、略９０°に設定されている（図１８（ａ）参照）。
【００９０】
また、各係止部３１には、それぞれ一方の端部（左方端部）に頭部３の外周面に滑らかに連続する曲面を有する略三角錘体状の突起部３２が形成されている。これにより、係止部３１の弓形状の水平面３１ｈにその全幅にわたって平面が着座することを阻止することができる。すなわち、係止部３１の水平面３１ｈには、突起部３２を回避する凹部を有する平面のみが突起部３２に干渉することなく面接触することができる。
【００９１】
この突起部３２は、盗難防止ねじ１をマシーンニングセンタなどを利用して切削加工によって製造するときには、突起部３２に対応する部分を切削しないことによって形成することができる他、ねじの呼び径にもよるが、弓形状の垂直面３１ｖおよび水平面３１ｈを切削加工した後、適宜形状の突起物を接着や溶着などによって肉盛りすることで形成してもよい。また、盗難防止ねじ１を冷間圧造などの鍛造によって製造するときには、金型に係止部３１に対応する部分を凸状に形成するのに対して、突起部３２に対応する部分を凹状に形成すればよい。すなわち、金型を係止部３１および突起部３２に合わせて凹凸反転して製作すればよい。
【００９２】
ところで、図２には、図１の盗難防止ねじ１を締結するための専用締結治具１０が示されている。
【００９３】
この専用締結治具１０は、先端部１１に盗難防止ねじ１の頭部３の頂部側を収容するとともに、突起部３２を回避して係止部３１の垂直面３１ｖおよび水平面３１ｈにそれぞれ面接触可能な垂直面１１１ｖおよび水平面１１１ｈからなる３個の嵌合部１１１が形成され、また、基端部１２に少なくとも一対の平行面を有する（実施例においては、３対の平行面からなる断面六角形状に形成されている）レンチなどに連結可能な連結部１２１が形成されて構成されている。
【００９４】
すなわち、専用締結治具１０は、盗難防止ねじ１の３個の係止部３１の左方端部にそれぞれ突起部３２が形成されていることに対応して、各嵌合部１１１の垂直面１１１ｖおよび水平面１１１ｈが、突起部３２を除く範囲の係止部３１の垂直面３１ｖおよび水平面３１ｈにそれぞれ面接触可能である他、これらの垂直面１１１ｖおよび水平面１１１ｈに直交するとともに、突起部３２の端面と略接触する境界面１１１ｂを有し、垂直面１１１ｖおよび境界面１１１ｂが、盗難防止ねじ１における頭部３の頂部（係止部３１の水平面３１ｈよりも上方部分）を収容する高さの底面１１２まで延設されている。これにより、各嵌合部１１１の水平面１１１ｈが各係止部３１の水平面３１ｈに面接触した際に、境界面１１１ｂ、垂直面１１１ｖの延長面および底面１１２によって形成される空間に、突起部３２を収容することができる。
【００９５】
なお、専用締結治具１０における各嵌合部１１１の垂直面１１１ｖは、係止部３１の垂直面３１ｖの高さが最大となる部分周辺に対応する幅方向略中間部が内方に向けてわずかに膨出されている。
【００９６】
一方、このような専用締結治具１０は、前述した複数本の盗難防止ねじ１とともに同梱されており、これらの複数本の盗難防止ねじ１および専用締結治具１０が同梱された盗難防止ねじセットを購入した消費者は、専用締結治具１０を利用して盗難防止ねじ１を回転操作して締結し、あるいは、締結した盗難防止ねじ１を回転操作して締結を解除することができる。
【００９７】
具体的には、図３に示すように、専用締結治具１０の先端部１１における各嵌合部１１１の垂直面１１１ｖと水平面１１１ｈを、盗難防止ねじ１における各係止部３１の垂直面３１ｖおよび水平面３１ｈにそれぞれあてがって嵌合させることにより、各嵌合部１１１の水平面１１１ｈが盗難防止ねじ１における各係止部３１の水平面３１ｈにそれぞれ面接触してそれ以上の軸線方向の移動を規制するとともに、各嵌合部１１１の垂直面１１１ｖが各係止部３１の垂直面３１ｖにそれぞれ面接触する。すなわち、専用締結治具１０における各嵌合部１１１の水平面１１１ｈは、境界面１１１ｂによって区画された空間に突起部３２を収容することにより、突起部３２に干渉することなく各係止部３１の水平面３１ｈ上に面接触して着座することができる（図３（ａ）（ｂ）参照）。
【００９８】
次いで、専用締結治具１０の連結部１２１をレンチなどを利用して回転させると、専用締結治具１０における各嵌合部１１１の垂直面１１１ｖの幅方向略中間部が係止部３１の垂直面３１ｖの高さが最大となる部分周辺に接触していることから、嵌合部１１１の垂直面１１１ｖを介して係止部３１の垂直面３１ｖ、すなわち、盗難防止ねじ１にその軸心回りに回転トルクを付与することができ、盗難防止ねじ１を専用締結治具１０を介して回転させることができる。これにより、被締結物、例えば、カーナビゲーションＮ（図４参照）、ナンバープレートＰ（図５参照）、面格子Ｇ（図６参照）などを盗難防止ねじ１によって締結することが可能となる。
【００９９】
一方、盗難防止ねじ１による被締結物の締結を解除するときには、専用締結治具１０における各嵌合部１１１の垂直面１１１ｖおよび水平面１１１ｈを、盗難防止ねじ１における各係止部３１の垂直面３１ｖおよび水平面３１ｈにあてがって嵌合させた後、専用締結治具１０の連結部１２１をレンチなどを利用して前述した締結方向とは逆方向に回転させる。これにより、専用締結治具１０における各嵌合部１１１の垂直面１１１ｖの幅方向略中間部が係止部３１の垂直面３１ｖの高さが最大となる部分周辺に面接触して、盗難防止ねじ１にその軸心回りに回転トルクを付与することから、盗難防止ねじ１を弛めて被締結物の締結を解除することができる。
【０１００】
以上のように、本実施形態の盗難防止ねじ１は、係止部３１が垂直面３１ｖと水平面３１ｈによって形成された切欠部から構成されているので、専用締結治具１０を頭部３に容易にあてがって嵌合させることができ、専用締結治具１０を回転操作させるだけで、盗難防止ねじ１の締結または解除することが可能となる。
【０１０１】
なお、盗難防止ねじ１をレンチなどの一般工具を用いて直接回転操作しようとした場合には、一般工具は、少なくとも一対の平行面を挟み込み、回転トルクを付与するように設定されていることから、上方より見て正三角形の各辺の一部に形成された３個の垂直面３１ｖに平行面は存在せず、一般工具を利用して盗難防止ねじ１を回転操作することはできないものとなる。しかも、盗難防止ねじ１の頭部３の外周面形状は、ほぼ半球状に形成されて、一般工具によって面接触しつつ挟み込むことは極めて困難であることから、一般工具を利用して盗難防止ねじ１の頭部３を把持し、回転操作することもできないものとなる。
【０１０２】
この結果、盗難防止ねじ１を一般工具を利用して締結し、あるいは、締結を解除することはほとんど不可能となり、盗難防止ねじ１を利用して締結されたカーナビゲーションなどの被締結物の盗難や悪戯を防止することができる。あるいは、被締結物の締結解除に多くの時間を費やすことを嫌って窃盗を試みる機会が減少するものとなる。
【０１０３】
なお、盗難防止ねじ１と同梱された専用締結治具１０以外の専用締結治具、例えば、１個の嵌合部１１１に突起部３２を回避する空間が存在しない場合、当該突起部３２に対面する水平面１１１ｈが盗難防止ねじ１の突起部３２に乗り上げて傾斜し、係止部３１の水平面３１ｈに面接触するように着座することができないものとなる。これにより、他の水平面１１１ｈも盗難防止ねじ１における係止部３１の水平面３１ｈから浮き上がり、面接触することができなくなることから、それらの垂直面１１１ｖが盗難防止ねじ１における係止部３１の垂直面３１ｖに面接触する面積がわずかとなって回転トルクを有効に伝えることが困難となり、回転操作することはできない。
【０１０４】
また、図７には、本発明の盗難防止ねじとしての盗難防止ナット５の一実施形態が示されている。
【０１０５】
この盗難防止ナット５は、中心部に雌ねじ５ａが形成され、その外周面には、前述した専用締結治具１０によってのみ回転操作することができるように、周方向に間隔をおいて３個以上の奇数個（実施例においては３個）の係止部５１が形成されている。なお、かかる盗難防止ナット５の場合には、盗難防止ナット５自体が回転操作部を構成する。
【０１０６】
ここで、盗難防止ナット５は、その外形がレンチ、スパナ、ペンチ、プライヤーなどの一般工具では掴み難い形状である半球状に形成されているが、円錐台形状であっても構わない。
【０１０７】
そして、盗難防止ナット５の外周面に形成された３個の係止部５１は、それぞれ側方より見て弓形状の垂直面５１ｖおよび上方より見て弓形状の水平面５１ｈによって形成されるとともに、上方より見て各係止部５１の垂直面５１ｖは、正三角形の各辺の一部に対応して形成され、また、水平面５１ｈは、底面から同一高さ位置に形成されている。換言すれば、上方より見て各係止部５１の垂直面５１ｖに内接する内接円を描くとき、内接円の中心は雌ねじ５ａの中心と一致し、また、各係止部５１の水平面５１ｈの弧は、雌ねじ５ａの中心を中心とする同一半径の円周上に位置している。
【０１０８】
また、各係止部５１には、それぞれ一方の端部（左方端部）に外周面に滑らかに連続する曲面を有する略三角錘体状の突起部５２が形成されている。これにより、係止部５１の弓形状の水平面５１ｈにその全幅にわたって平面が着座することを阻止することができる。すなわち、係止部５１の水平面５１ｈには、突起部５２を回避する凹部を有する平面のみが突起部５２に干渉することなく面接触することができる。
【０１０９】
この突起部５２は、盗難防止ナット５をマシーンニングセンタなどを利用して切削加工によって製造するときには、突起部５２に対応する部分を切削しないことによって形成することができる他、ナットの呼び径にもよるが、弓形状の垂直面５１ｖおよび水平面５１ｈを切削加工した後、適宜形状の突起物を接着や溶着などによって肉盛りすることで形成してもよい。また、盗難防止ナット５を冷間圧造などの鍛造によって製造するときには、金型に係止部５１に対応する部分を凸状に形成するのに対して、突起部５２に対応する部分を凹状に形成すればよい。すなわち、金型を係止部５１および突起部５２に合わせて凹凸反転して製作すればよい。
【０１１０】
このような複数個の盗難防止ナット５は、前述した専用締結治具１０とともに同梱されており、これらの複数本の盗難防止ナット５および専用締結治具１０が同梱された盗難防止ナットセットを購入した消費者は、専用締結治具１０を利用して盗難防止ナット５を回転操作して締結し、あるいは、締結した盗難防止ナット１０を回転操作して締結を解除することができる。
【０１１１】
具体的には、専用締結治具１０の先端部における各嵌合部１１１の垂直面１１１ｖおよび水平面１１１ｈを、盗難防止ナット５における各係止部５１の垂直面５１ｖおよび水平面５１ｈにあてがって嵌合させる。この際、専用締結治具１０の各嵌合部１１１の水平面１１１ｈが、境界面１１１ｂによって区画された空間に突起部５２を回避して係止部５１の各水平面５１ｈにそれぞれ面接触するとともに、各嵌合部１１１の垂直面１１１ｖが各係止部５１の垂直面５１ｖにそれぞれ面接触する。
【０１１２】
次いで、専用締結治具１０の連結部１２１をレンチなどを利用して回転させると、各嵌合部１１１の垂直面１１１ｖの幅方向略中間部が係止部５１の垂直面５１ｖの高さが最大となる部分周辺に接触していることから、嵌合部１１１の垂直面１１１ｖを介して係止部５１の垂直面５１ｖ、すなわち、盗難防止ナット５にその軸心回りに回転トルクを付与することができ、盗難防止ナット５を専用締結治具１０を介して回転させることができる。これにより、被締結物を既存のボルトなどのねじおよび該ねじにねじ込んだ盗難防止ナット５を介して挟み込んで締結することができる。
【０１１３】
ここで、盗難防止ナット５をボルトなどのねじにねじ込むと、該盗難防止ナット５を貫通してねじが突出することから、専用締結治具１０には、ねじを収容する空間が必要となる。
【０１１４】
一方、盗難防止ナット５による被締結物の締結を解除するときには、専用締結治具１０における各嵌合部１１１の垂直面１１１ｖおよび水平面１１１ｈを、盗難防止ナット１０における各係止部５１の垂直面５１ｖおよび水平面５１ｈにあてがって嵌合させた後、専用締結治具１０の連結部１２１をレンチなどを利用して前述した締結方向とは反対方向に回転させる。これにより、専用締結治具１０における各嵌合部１１１の垂直面１１１ｖの幅方向略中間部が係止部５１の垂直面５１ｖの高さが最大となる部分周辺に面接触して、盗難防止ナット５にその軸心回りに回転トルクを付与することから、盗難防止ナット５を弛めて被締結物の締結を解除することができる。
【０１１５】
なお、盗難防止ナット５をレンチなどの一般工具を用いて回転操作しようとした場合には、一般工具は、少なくとも一対の平行面を挟み込み、回転トルクを付与するように設定されていることから、上方より見て正三角形の各辺の一部に対応して形成された３個の垂直面５１ｖに平行面は存在せず、一般工具を利用して盗難防止ナット５を回転操作することはできないものとなる。しかも、盗難防止ナット５の外周面形状は、ほぼ半球状に形成されて、一般工具によって面接触しつつ挟み込むことは極めて困難であることから、一般工具を利用して盗難防止ナット５を把持し、回転操作することもできないものとなる。
【０１１６】
この結果、盗難防止ナット５を一般工具を利用して締結し、あるいは、締結を解除することはほとんど不可能となり、盗難防止ナット５を利用して締結された被締結物の盗難や悪戯を防止することができる。
【０１１７】
ところで、前述した盗難防止ねじ１や盗難防止ナット５は、それぞれそれらの専用締結治具１０とともに同梱されて提供されることから、突起部３２，５２を設けた係止部３１，５１が単一のパターンの場合には、販売数量が増大するにつれて、他人の盗難防止ねじ１や盗難防止ナット５と遭遇する機会、すなわち、盗難や悪戯に遭遇する機会が増大するものとなる。
【０１１８】
このため、係止部３１，５１に対する突起部３２，５２の形成パターンを変えることにより、また、係止部３１，５１の位置、具体的には、半径、高さ、向きを変えることにより、さらには、それらを組み合わせることにより、一の購入者が購入した盗難防止ねじ１およびその専用締結治具１０からなる盗難防止ねじセット、あるいは、盗難防止ナット５およびその専用締結治具１０からなる盗難防止ナットセットと、他の購入者が購入した盗難防止ねじ１およびその専用締結治具１０からなる盗難防止ねじセット、あるいは、盗難防止ナット５およびその専用締結治具１０からなる盗難防止ナットセットとが一致する機会を可及的に小さくすることが好ましい。
【０１１９】
例えば、突起部３２，５２の形成パターンとしては、図８に示すように、各係止部３１，５１の左方端部にそれぞれ突起部３２，５２を形成した先の実施例（図８（ｇ）参照）の他に以下のパターンが可能である。
【０１２０】
すなわち、１個の係止部３１，５１の左方端部あるいは右方端部に突起部３２，５２を形成するパターン（図８（ａ）（ｂ）参照）、２個の係止部３１，５１において、各係止部３１，５１の左方端部に突起部３２，５２を形成するパターン（図８（ｃ）参照）、各係止部３１，５１の右方端部に突起部３２，５２を形成するパターン（図８（ｆ）参照）、一方の係止部３１，５１の左方端部および他方の係止部３１，５１の右方端部にそれぞれ突起部３２，５２を形成したり、一方の係止部３１，５１の右方端部および他方の係止部３１，５１の左方端部にそれぞれ突起部３２，５２を形成するパターン（図８（ｄ）（ｅ）参照）、３個の係止部３１，５１において、各係止部３１，５１の右方端部にそれぞれ突起部３２，５２を形成するパターン（図８（ｊ）参照）、２個の係止部３１，５１の左方端部および１個の係止部３１，５１の右方端部にそれぞれ突起部３２，５２を形成するパターン（図８（ｈ）参照）、２個の係止部３１，５１の右方端部および１個の係止部３１，５１の左方端部にそれぞれ突起部３２，５２を形成するパターン（図８（ｉ）参照）を挙げることができる。
【０１２１】
このような複数個の突起部３２，５２の形成パターン群から任意の形成パターンを選択的に採用することにより、一の購入者が購入した盗難防止ねじセット、盗難防止ナットセットと、他の購入者が購入した盗難防止ねじセット、盗難防止ナットセットが一致する機会を減少させることができる。
【０１２２】
なお、このような係止部３１，５１に設ける突起部３２，５２の形成パターンが異なる盗難防止ねじ１や盗難防止ナット５に対応する専用締結治具１０を切削加工によって製造する場合は、よく知られているように、盗難防止ねじ１や盗難防止ナット５の係止部３１，５１における突起部３２，５２を特定のパターンで切削することなく残す切削データを用いて、当該突起部３２，５２に嵌合可能な嵌合部１１１を逆に切削することにより製作することができる。
【０１２３】
また、突起部３２，５２の形成パターンが異なる盗難防止ねじ１や盗難防止ナット５に対応する専用締結治具１０を鍛造で製造するには、各パターンに対応する金型を用意すればよい。
【０１２４】
一方、盗難防止ねじ１や盗難防止ナット５に係止部３１，５１を位置を変えて形成するパターンとしては、それらの呼び径にもよるが、図９に盗難防止ねじ１の場合を示すように、内接円の半径を大小変えることにより、上方より見て当該内接円に接する垂直面３１ｖの位置が変わることになり、それらの垂直面３１ｖを含む係止部３１に対応する専用締結治具１０によってのみ締結することができるものとなる。
【０１２５】
以下、盗難防止ねじ１を代表して係止部３１の形成パターンを示すものとする。
【０１２６】
また、３個の係止部３１のうち、１個の係止部３１の水平面３１ｈを形成する高さ位置を変えることによって係止部３１の形成パターンを増加させることができる（図１０、図１１参照）。その他、３個の係止部３１全ての水平面３１ｈを形成する高さ位置を変えることによって係止部３１の形成パターンを増加させることもできる（図１２参照）。この場合、各係止部３１の水平面３１ｈの奥行きをほぼ一致するように形成することが好ましい。
【０１２７】
さらに、前述した実施形態においては、上方より見て係止部３１の垂直面３１ｖが正三角形の各辺の一部に対応してを形成する場合を例示したが、正三角形に近似する不等変三角形の各辺またはその一部に対応して形成してもよい。例えば、図１３に示すように、３個の係止部３１，５１のうち、上方より見て少なくとも１個の係止部３１の垂直面３１ｖを、その幅方向略中間部を中心として時計回り方向あるいは反時計回り方向に若干回転させて形成し、係止部３１の形成パターンを増加させることができる。
【０１２８】
さらにまた、前述した実施形態においては、上方より見て係止部３１の垂直面３１ｖが正三角形の各辺またはその一部、あるいは、不等変三角形の各辺またはその一部に対応して形成する場合について説明したが、三角形に限るものではなく、頂点が奇数個の正多角形の各辺または一部に対応して形成してもよい。例えば、図１４に示すように、係止部３１の垂直面３１ｖを正五角形の各辺に対応して形成してもよく、また、その変形例として、少なくとも任意の一辺と該一辺に対向する二辺との三辺、具体的には、図１５に示すように、正五角形の隣り合う二辺と、当該二辺による頂角が対向する対辺とに対応して形成してもよい。この場合、正五角形以外の五角形であっても構わない。
【０１２９】
五角形以上の多角形においても、三角形に対応して形成した係止部３１の変形例を適用できることは、説明するまでもなく明らかである。
【０１３０】
本発明は、図１６（ａ）に示すように、突起部３２の位置は、係止部３１の垂直面３１ｖの幅方向の中途部にそれぞれ設けることも可能であり、特に限定されるものではない。かかる場合には、専用締結治具１０の各嵌合部１１１の垂直面１１１ｖに、突起部３２を逃がすための溝を形成することとなる。
【０１３１】
係止部３１の垂直面（第１面）３１ｖは、平面を例示したが図１６（ｂ）に実線で示すように、内側に凹面となるように形成しても、あるいは、仮想線で示すように、若干外側に凸面となるように形成してもよい。
【０１３２】
また、図１７（ａ）および（ｂ）に、頭部３の断面形状が円錐台状の場合を例示するが、その他、円錐状であってもよく、頭部３の形状は、一般の工具で挟持しようとしても、工具が頭部３の表面を滑ってしまう形状であれば、特に限定されるものではない。
【０１３３】
また、前記実施形態は、図１８（ａ）に示すように、係止部３１の垂直面３１ｖと水平面３１ｈとの間の角度αを、略９０°に設定した場合を例示したが、かかる角度αは、任意に設定することができる。例えば、かかる角度αは鈍角に設定することが可能である（同図（ｂ）参照）。具体的には、第１面３１ｖは、垂直線（軸心に沿う方向）Ｌ１に対して軸心に向けて０〜３０°の範囲で設定され、第２面３１ｈは、水平線（軸心と直交する方向）Ｌ２に対して頭部３底面方向に向けて０〜６０°の範囲で設定され、角度αは９０°を超えて１６０°以下に設定されている。また、かかる角度αは、鋭角とすることも可能である（同図（ｃ）参照）。具体的には、第１面３１ｖは、垂直に設定し、第２面を頭部３底面と反対方向（頂面方向）に向けて傾斜させることも可能である。
【０１３４】
以上のように、角度αは、４５°〜１６０°に設定することができる。このように、角度αを所定範囲で設定することにより、専用締結治具１０との嵌合を良好にしつつ、盗難防止ねじ１と専用締結治具１０との多数種類の組み合わせが可能となる。
【０１３５】
図１９に示す盗難防止ねじ１の実施の形態は、係止部３１が一個の場合を例示する。すなわち、頭部３が、その底面から頂面に向かって直径が漸減する凸条部を有し、しかも、上方より見て前記頭部３形状が円形に形成され、この頭部３の周面に切欠部からなる係止部３１が一個形成されている。そして、かかる盗難防止ねじ１を回転操作する専用締結治具１０の先端には、係止部３１に係合するとともに頭部３に相対回転不可能に着脱自在に外嵌される筒状の嵌合部１０ａが設けられている。
【０１３６】
また、頭部（回転操作部）３は、必ずしも円形である必要はない。図２０に示すように、頭部３外週面の複数箇所を円弧状または平面に切欠くことにより、係止部３１が形成されている。そして、各係止部３１は、頭部３底面から底面から頂面に向かって互いに接近する傾斜面に形成されている。従って、仮に、一般の工具で係止部３１同士を挟持した場合であっても、各係止部３１が傾斜面状に形成されているため、一般工具が係止部３１の傾斜面を滑りやすくなる。このため、一般工具でかかる盗難防止ねじ１を操作することができない。
【０１３７】
図２１に、盗難防止ねナット５の他実施形態を示す。同図（ａ）および（ｂ）に示す盗難防止ねナット５は、係止部５１の垂直面５１ｖが正五角形の各辺の一部に対応して形成（垂直面５１ｖが不連続に形成）されたものである。同図（ｃ）および（ｄ）に示す盗難防止ねナット５は、係止部５１が１個の場合を例示するものである。
【０１３８】
前述したように、盗難防止ねじ１、盗難防止ナット５の係止部３１，５１の形成パターンおよび突起部３２，５２の形成パターンが多数種類発生することに伴って、対応する専用締結具１０も多数種類発生する。したがって、盗難防止ねじ１、盗難防止ナット５、専用締結治具１０を個別に提供すると、多数種類のなかから、特定の盗難防止ねじ１、盗難防止ナット５に対応する専用締結治具１０を選択したり、逆に、特定の専用締結治具１０に対応する盗難防止ねじ１、盗難防止ナット５を選択しなければならず、在庫管理が複雑化するとともに、探す手間が発生するものとなる。
【０１３９】
このため、特定の係止部３１，５１の形成パターンおよび突起部３２，５２の形成パターンを有する盗難防止ねじ１、盗難防止ナット５を切削加工して製造するときには、その切削データを利用して、特定パターンの係止部３１，５１および突起部３２，５２に対応する嵌合部１１１を有する専用締結治具１０を簡単に製造できることを勘案して、特定パターンの係止部３１，５１および突起部３２，５２を有する盗難防止ねじ１、盗難防止ナット５と、その特定パターンの盗難防止ねじ１、盗難防止ナット５に対応する専用締結治具１０を同梱して提供することが好ましい。
【０１４０】
これにより、消費者は、対応する盗難防止ねじ１および専用締結治具１０、あるいは、対応する盗難防止ナット５および専用締結治具１０を係止部３１，５１の形成パターンおよび突起部３２，５２の形成パターンの相違に関係なく同時に手に入れることができ、いつでも被締結物の締結作業、あるいは、その締結解除作業を行うことができる。また、在庫管理が複雑化することを避けることができる。
【符号の説明】
【０１４１】
１  盗難防止ねじ
２  軸部
３  頭部（回転操作部）
３１  係止部
３１ｖ  垂直面（第１面）
３１ｈ  水平面（第２面）
３２  突起部
５  盗難防止ナット
５１  係止部
５１ｖ  垂直面
５１ｈ  水平面
５２  突起部
１０  専用締結治具
１１  先端部
１１１  嵌合部
１１１ｖ  垂直面
１１１ｈ  水平面
１１１ｂ  境界面
１２  基端部
１２１  連結部
α      角度
【図１】
2012132553.tif 000003
【図２】
2012132553.tif 000004
【図３】
2012132553.tif 000005
【図４】
2012132553.tif 000006
【図５】
2012132553.tif 000007
【図６】
2012132553.tif 000008
【図７】
2012132553.tif 000009
【図８】
2012132553.tif 000010
【図９】
2012132553.tif 000011
【図１０】
2012132553.tif 000012
【図１１】
2012132553.tif 000013
【図１２】
2012132553.tif 000014
【図１３】
2012132553.tif 000015
【図１４】
2012132553.tif 000016
【図１５】
2012132553.tif 000017
【図１６】
2012132553.tif 000018
【図１７】
2012132553.tif 000019
【図１８】
2012132553.tif 000020
【図１９】
2012132553.tif 000021
【図２０】
2012132553.tif 000022
【図２１】
2012132553.tif 000023